(57)【要約】【課題】  たわしの使用限度を一目で認知できるとともに、見た目にもカラフルで水玉や絵柄等模様のある美しい製品が簡単にでき、これまで商品化できなかったたわしを安価に提供することにある。【解決手段】  たわし生地（１０）に、斑点又は水玉模様等からなる目印（１１）を全面又は一部に印刷等により形成し、このたわし生地（１０）にパイル糸を織込んでたわし生地の目印（１１）がパイル糸で隠蔽又は半隠れするようにパイル（１）を密に形成する。たわし生地に金属平線を織込み、表面に目印が金属平線で隠蔽又は半隠れするように金属平線のパイルを形成することもできる。【選択図】  図１
2006055371.tif 000002
【特許請求の範囲】
【請求項１】
たわし生地（１０）に、斑点又は水玉模様等からなる目印（１１）を全面又は一部に印刷等により形成し、このたわし生地（１０）にパイル糸を織込んでたわし生地の目印（１１）がパイル糸で隠蔽又は半隠れするようにパイル（１）を密に形成してなるたわし。
【請求項２】
たわし生地（１０）に、斑点又は水玉模様等の目印（１１）を形成し、このたわし生地（１０）に、アルミ等の金属を蒸着又はコーティングした合成樹脂のフイルムテープからなる金属平線を織込み、前記たわし生地の目印（１１）が金属平線で隠蔽又は半隠れするように金属平線のパイル（１）を形成してなるたわし。
【発明の詳細な説明】
【技術分野】
【０００１】
本発明は、キッチンにおける食器類や鍋等の洗浄用として使用されるたわしに関する。
【背景技術】
【０００２】
キッチンにおける食器類や鍋等の洗浄用として使用される従来のたわしで、軟質プラスチックのフイルムテープにアルミ等の金属を蒸着の又はコーティングした金属平線（ラメ平線又はラメ糸等とも云う）を単独、又は繊維糸とともに織成又は編成してたわし生地となし、このたわし生地を袋にして内部にスポンジの芯体を封入してラメ入りスポンジたわしとしたものが知られている。（特許文献１参照）。
【０００３】
このような、従来のラメ入りスポンジたわしは、金属のものエッジの硬さとプラスチックの柔らかさを併わせ有する上に、抗菌性に優れているために衛生的なたわしとして好適なものとして一般家庭等で広く愛用されている。
【０００４】
金属平線は薄くて伸び易く、強度も弱いので耐久性に難点があり、その上、特に軟質プラスチックのフイルムテープに蒸着又はコーティグされた金属は薄い被膜のため激しい摩擦や衝撃に対して剥離し易いという問題がある。したがってこのようなたわしは比較的寿命が短いにも拘らず知らずに長期に亘って使用していると金属たわしとしての優れた機能が発揮されないばかりか、抗菌力も減退しているため雑菌の付着又は侵入を誘引し、その為却って不衛生なものとなるおそれがあった。
【０００５】
本件の発明者は、このような金属たわしの優れた機能を最大限有効に活用する中で使用の限界を簡単に認識でき、而も見た目にもきれいなたわしが作れないかと考えた。
【特許文献１】実公昭５９−３１１６８号公報
【発明の開示】
【発明が解決しようとする課題】
【０００６】
しかし、現実には使用頻度や期間は一律に規定できず、従ってこれまで、使用限度を認知できるような製品は未だ発明されず、商品化されるに至っていないのが現状である。
【０００７】
本発明は、上記に鑑みてなされたものであり、その目的とするところは、たわしの使用限度を一目で認知できるとともに、見た目にもカラフルで水玉や絵柄等模様のある美しい製品が簡単にでき、これまで商品化できなかったたわしを安価に提供することにある。
【課題を解決するための手段】
【０００８】
本発明に係るたわしは、たわし生地（１０）に、斑点又は水玉模様等からなる目印（１１）を全面又は一部に印刷等により形成し、このたわし生地（１０）にパイル糸を織込んでたわし生地の目印（１１）がパイル糸で隠蔽又は半隠れするようにパイル（１）を密に形成してなることを特徴とする。
【０００９】
また、本発明のたわしは、たわし生地（１０）に、斑点又は水玉模様等の目印（１１）を形成し、このたわし生地（１０）に、アルミ等の金属を蒸着又はコーティングした合成樹脂のフイルムテープからなる金属平線を織込み、前記たわし生地の目印（１１）が金属平線で隠蔽又は半隠れするように金属平線のパイル（１）を形成してなることも特徴である。
【発明の効果】
【００１０】
本発明に係るたわしは、ベースとなるたわし生地の表面に目印を形成し、この目印をパイル糸で隠れるようにパイルを密に形成しているため、たわしを使用するとその消耗の度合いによってたわし生地の目印がはっきり見えるようになって使用限度を一目で認知することができる。またたわし生地の表面の目印は斑点や水玉模様のようにお洒落でカラフルな意匠に形成できるためデザイン的にも優れたたわしが安価に提供でき、たわしとしての商品価値も高められる。
【００１１】
また、たわし生地に織込むパイル糸を合成樹脂のフイルムテープに金属膜を形成した金属平線とするときは、金属膜が磨耗により薄くなって透けて見えるようになるため、これまで見えなかった又はぼんやりしか見えなかったたわし生地の目印が容易に認知できるようになる。
【発明を実施するための最良の形態】
【００１２】
以下、実施例を用いて本発明に係るたわしについて説明する。
【実施例】
【００１３】
（たわし生地の基礎構造）
図２（ａ）（ｂ）は、ベースとなるたわし生地１０の表面に複数の目印１１を印刷により形成したものを示している。たわし生地１０は天然又は化学繊維からなる繊維糸を経及び緯糸に使用して平織地に織成したものである。またこのようなたわし生地は、繊維糸を編地に編成することもできる。
【００１４】
目印１１は、斑点又は水玉模様の他梅、又は星のようなものでも、又動物やアニメの絵柄のようなものであってもよい。さらに目印１１は、赤、青といった色彩を付けることで、カラフルにすることもできる。
【００１５】
たわし生地のその他の実施例としては不織布やフエルトのようなものがある。図４（ｃ）（ｄ）は、このような不織布製のたわし生地１０に目印１１を印刷により形成したものである。
【００１６】
パイル糸は、たわしとして好適なものであればよい。図３（ａ）（ｂ）に示すように天然又は硬度の高い合成樹脂製のものをたわし生地１０に織り込んでたわし生地の表面全体にパイル１が密に形成されるようにする。パイル１はループ状に長く又は短く織込んで密集したパイルでたわし面が形成される。
【００１７】
パイル糸１に金属平線（ラメ糸）を用いてたわし生地１０にパイル出しするように織込むと、ラメ入りたわしが得られる。
【００１８】
図５（ａ）（ｂ）は、金属平線（ラメ糸）の一例を示している。このような金属平線は、厚さが１５〜５０ミクロンのプラスチックフイルムの面にアルミ、銅等の金属を蒸着し又はスパッタリングにより金属の薄い膜を形成したものである。このような金属平線は巾が０．８乃至1．２ミリメートル程度の細いテープ状に形成してこれをパイル糸としてたわし生地に織込んで表面に金属平線のパイルを密に形成する。パイルは謂ゆる輪状のものでなくてもよい。パイルの頂部をカットして起毛状に形成することもできる。金属平線のプラスチックフイルムは、透明又は半透明、又は不透明のものが使用される。透明又は半透明のプラスチックフイルムに金属膜を形成した金属平線の場合は、たわしの使用により金属膜が摩滅すると透明又は半透明になるので、たわし生地の表面の目印がよく透けて見えるようになる。
【００１９】
上記のようなたわし生地１０は、所望の大きさに形成して２つ折り、又は円筒状に丸めるなどして使用することもできる。また図１（ａ）（ｂ）に示すように袋に形成して内部にスポンジの芯体２０を封入することで、スポンジ入り金属たわしとして使用することができる。
【００２０】
本発明に係るたわしを、久しく使用すると激しい摩擦や衝撃をくり返えし受けるため次第に表面が磨耗して劣下し、パイルの長さも短くなり、太さもすりへって細くなる。金属平線のパイルでは表面の金属膜も磨耗して薄くなり、限界まで使用すると完全に無くなってしまう。しかし、このようになる前にたわし生地の表面の目印はパイルの磨耗度に伴って始めはぼんやり又は薄く見えていたものが、ハッキリ見えるようになるので、この時点でたわしの使用を止め、新しいものと交換することができる。
【産業上の利用可能性】
【００２１】
本発明に係るたわしは、たわし生地の表面に斑点又は水玉模様等の目印を形成して、そのたわし生地の面にパイル糸を織込んでたわし生地の表面の目印がパイルで隠蔽又は半隠れするようにパイルを密に形成したものであって、従来の無地色のみによるたわしに較べ模様のあるカラフルで美しいたわしが提供でき、而も使用により古くなると、ますますハッキリ目印が見えるようになるため、使用限度を容易に認知できて不衛生になり勝ちなたわしを効率的に使用できて、而も商品価値を高めることができる。
【図面の簡単な説明】
【００２２】
【図１】本発明に係るたわしの一例を示したもので、（ａ）は全体斜視図、（ｂ）はＡ−Ａ線の断面図である。
【図２】たわし生地に目印を印刷したものの一例を示し、（ａ）はその平面図、（ｂ）はＢ−Ｂ線の断面図である。
【図３】たわし生地にパイルを形成してたわしとなしたものを示し、（ａ）は断面図、（ｂ）は同Ｃ−Ｃ線の断面図である。
【図４】たわし生地の実施例を示し、（ａ）は平織のたわし生地に目印を印刷したものの断面図、（ｂ）はその上にパイルを形成した場合の断面図である。また（ｃ）は不織布をベースにしたたわし生地に目印を印刷したものを示し、（ａ）は断面図、（ｂ）はパイルを形成した場合の断面図である。
【図５】金属平線を示し、（ａ）はその一部の斜視図、（ｂ）はＤ−Ｄ線の拡大した断面図である。
【符号の説明】
【００２３】
１      パイル
５      金属平線
１０    たわし生地
１１    目印
【図１】
2006055371.tif 000003
【図２】
2006055371.tif 000004
【図３】
2006055371.tif 000005
【図４】
2006055371.tif 000006
【図５】
2006055371.tif 000007